(57)【要約】  タバコ製品（２）のための強固なパッケージ（１）であって、ほぼ直方体の形状であって、２つの主側壁面（７、８）と、２つの副側壁面（９）と、底面（１０）と、上端開口（４）とからなるカップ形の容器本体（３）を備え、それぞれ、前記上端開口（４）を開閉する開位置と閉位置とのあいだで回転できるよう、第１のヒンジ（６）に沿ってヒンジ取り付けされたカップ形のフタ（５）を備え、その追加パネル（１３）が、前記容器本体（３）から離脱する展げられた位置と、その追加パネル（１３）が前記容器本体（３）の主側壁面（７、８）上に保持され、前記閉位置にあるフタ（５）により、前記容器本体（３）の主側壁面（７、８）上に接触したまま保持される位置とのあいだで、前記容器本体（３）に対して回転できるよう、第２のヒンジ（１４）に沿って前記容器本体（３）にヒンジ取り付けされた少なくとも１つの追加パネル（１３）も備える。
2007535449.tif 000002
【特許請求の範囲】
【請求項１】
タバコ製品のための強固なパッケージであって、
ほぼ直方体の形状であって、２つの主側壁面（７、８）と、２つの副側壁面（９）と、底面（１０）と、上端開口（４）とからなるカップ形の容器本体（３）と、
それぞれ、前記上端開口（４）を開閉する開位置と閉位置とのあいだで回転できるよう、第１のヒンジ（６）に沿ってヒンジ取り付けされたカップ形のフタ（５）と、
追加パネル（１３）が前記容器本体（３）から離脱している展げられた位置と、該追加パネル（１３）が前記容器本体（３）の主側壁面（７、８）上に保持される折り畳み位置とのあいだで、前記容器本体（３）に対して回転できるよう、第２のヒンジ（１４）に沿って前記容器本体（３）にヒンジ取り付けされた少なくとも１つの追加パネル（１３）とからなり、
前記追加パネル（１３）が、該追加パネル（１３）が折り畳み位置にある場合には、前記閉位置にあるフタ（５）により、前記容器本体（３）の主側壁面（７、８）上に接触したまま保持されることを特徴とするパッケージ。
【請求項２】
前記フタ（５）の第１のヒンジ（６）が、前記容器本体（３）の第１の主側壁面（８）上に位置しており、前記追加パネル（１３）が、該追加パネル（１３）が折り畳み位置にある場合には、前記第２の主側壁面（７）上に保持されることを特徴とする請求項１記載のパッケージ。
【請求項３】
前記容器本体（３）の主側壁面（７、８）と副側壁面（９）とのあいだには、４つの縦方向端（１１）が設けられ、前記フタ（５）の第１のヒンジ（６）が、前記縦方向端（１１）に直交することを特徴とする請求項２記載のパッケージ。
【請求項４】
前記追加パネル（１３）の第２のヒンジ（１４）が、前記縦方向端（１１）に平行であり、前記第２の主側壁面（７）に沿って伸長する縦方向端（１１）のひとつに合致することを特徴とする請求項３記載のパッケージ。
【請求項５】
前記追加パネル（１３）の第２のヒンジ（１４）が、前記縦方向端（１１）に垂直であり、前記第２の主側壁面（７）の底辺に位置することを特徴とする請求項３記載のパッケージ。
【請求項６】
前記フタ（５）の第１のヒンジ（６）が、前記第１の主側壁面（８）の上端辺に位置することを特徴とする請求項２〜５のいずれか１項に記載のパッケージ。
【請求項７】
前記追加パネル（１３）が、前記フタ（５）が閉位置にある場合には、前記フタ（５）のそれぞれの内側表面に係合する、横方向に突出した２つの突起部（１５）を備えることを特徴とする請求項２〜６のいずれか１項に記載のパッケージ。
【請求項８】
前記第２の主側壁面（７）が、前記フタ（５）が閉位置にある場合には、前記フタ（５）のそれぞれの内側表面に係合する、横方向に突出した２つの突起部（１５）を備えることを特徴とする請求項２〜７のいずれか１項に記載のパッケージ。
【請求項９】
前記第２の主側壁面（７）の上部が、凹部（１６）を備えることを特徴とする請求項２〜８のいずれか１項に記載のパッケージ。
【請求項１０】
前記凹部（１６）が、対称形状であることを特徴とする請求項９記載のパッケージ。
【請求項１１】
前記凹部（１６）が、非対称形状であって、前記追加パネル（１３）の第２のヒンジ（１４）に対向した縦方向端（１１）では、より深く形成されることを特徴とする請求項９記載のパッケージ。
【請求項１２】
前記容器本体（３）の各副側壁面（９）が、前記容器本体（３）の第１の主側壁面（８）が底面となる直角台形状に形成され、傾斜した上端を有することを特徴とする請求項２〜１１のいずれか１項に記載のパッケージ。
【請求項１３】
前記容器本体（３）の内側に接着され、Ｕ字形状に形成されたカラー（３１）が設けられており、その一部は前記上端開口（４）の外側に突出しており、前記フタ（５）がその閉位置にある場合には、前記フタ（５）の内側表面に係合することを特徴とする請求項２〜１２のいずれか１項に記載のパッケージ。
【請求項１４】
前記カラー（３１）の上端が、凹部（３２）を形成するように下がっていることを特徴とする請求項１３記載のパッケージ。
【請求項１５】
前記カラー（３１）の凹部（３２）が、非対称形状であることを特徴とする請求項１４記載のパッケージ。
【請求項１６】
前記カラー（３１）の凹部（３２）が、前記容器本体（３）の第２の主側壁面（７）、および、前記追加パネル（１３）の第２のヒンジ（１４）に対向する副側壁面（９）にのみ形成されることを特徴とする請求項１５記載のパッケージ。
【請求項１７】
前記追加パネル（１３）が、該追加パネル１３が前記主側壁面（７）と接触したまま位置決めされた場合に、前記容器本体（３）の第２の主側壁面（７）の対応部分が可視できる中央貫通孔（３７）を備えることを特徴とする請求項２〜１６のいずれか１項に記載のパッケージ。
【請求項１８】
前記貫通孔（３７）が、前記追加パネル（１３）の内面または背面に貼付された透明素材または半透明素材のシート（３８）により閉鎖されることを特徴とする請求項１７記載のパッケージ。
【請求項１９】
前記追加パネル（１３）および／または前記容器本体（３）の第２の主側壁面（７）から切り離しできる、組立可能物体の部品（３９）が設けられることを特徴とする請求項２〜１８のいずれか１項に記載のパッケージ。
【請求項２０】
前記追加パネル（１３）の内側表面に、小型物体（４１）のためのシート部（４０）が形成されることを特徴とする請求項２〜１９のいずれか１項に記載のパッケージ。
【請求項２１】
前記小型物体（４１）の厚さを容認できるよう、前記追加パネル（１３）が、該追加パネル（１３）が前記容器本体（３）の第２の主側壁面（７）に接触して位置決めされた場合には、該追加パネル（１３）を前記第２の主側壁面（７）に対して持ち上げて保持するための２つのタブ（４２）を備えることを特徴とする請求項２０記載のパッケージ。
【請求項２２】
前記可動挿入体（４３）が、容器本体（３）の第２の主側壁面（７）と接続されており、追加パネル（１３）が該第２の主側壁面に接触して位置決めされた場合には、該可動挿入体（４３）は、該第２の主側壁面（７）上に平行に保持され、該追加パネル（１３）が該第２の主側壁面（７）から離された場合には、該可動挿入体（４３）は、該第２の主側壁面（７）に垂直に立ち上げられること、および、該可動挿入体の端部が追加パネル（１３）の内側表面に固定され、該追加パネル（１３）が第２のヒンジのまわりを回転する際に、該可動挿入体（４３）が自動的に回転することを特徴とする請求項２〜２１のいずれか１項に記載のパッケージ。
【請求項２３】
前記第２のヒンジ（１４）に平行かつ対向する第３のヒンジ（１８）に沿って、前記容器本体（３）の第２の主側壁面（７）にヒンジ取り付けされたさらなるパネル（１７）を備え、前記２つのパネル（１３、１７）が、前記容器本体（３）の第２の主側壁面（７）を覆う２つの「ウィング」部を形成することを特徴とする請求項２〜２２のいずれか１項に記載のパッケージ。
【請求項２４】
前記２つのパネル（１３、１７）が、それぞれ前記容器本体（３）の第２の主側壁面（７）と同じ大きさであって、前記第２の主側壁面（７）上に片方を他方の上面に重ねて配置されることを特徴とする請求項２３記載のパッケージ。
【請求項２５】
前記２つのパネル（１３、１７）が、それぞれ前記容器本体（３）の第２の主側壁面（７）の半分の大きさであって、前記第２の主側壁面（７）上に横並びで配置されることを特徴とする請求項２３記載のパッケージ。
【請求項２６】
前記フタ（５）の第１のヒンジ（６）が、追加パネル（１３）が折り畳み位置にある場合には、前記第１の主側壁面（８）上に保持される該追加パネル（１３）上に配置されることを特徴とする請求項１記載のパッケージ。
【請求項２７】
前記容器本体（３）の主側壁面（７、８）と副側壁面（９）のあいだには、４つの縦方向端（１１）が備わっており、前記フタ（５）の第１のヒンジ（６）が、前記追加パネル（１３）が折り畳み位置にある場合には、該縦方向端（１１）に直交し、該追加パネル（１３）の第２のヒンジ（１４）が、該縦方向端（１１）に平行で、前記第１の主側壁面（８）に沿って伸長する縦方向端（１１）の１つに合致することを特徴とする請求項２６記載のパッケージ。
【請求項２８】
前記フタ（５）の第１のヒンジ（６）が、前記追加パネル（１３）が折り畳み位置にある場合には、前記第１の主側壁面（８）の上端辺に位置することを特徴とする請求項２６または２７記載のパッケージ。
【請求項２９】
前記容器本体（３）の第２の主側壁面（７）が、前記フタ（５）が閉位置にある場合には、それぞれ前記フタ（５）の内側表面へ係合する、横方向に突出した２つの突起部（１５）を備えることを特徴とする請求項２７または２８記載のパッケージ。
【請求項３０】
前記容器本体（３）の第１の主側壁面（８）の上部が、凹部（１６）を備えることを特徴とする請求項２７〜２９のいずれか１項に記載のパッケージ。
【請求項３１】
前記容器本体（３）の第２の主側壁面（７）の上部が、凹部（１６）を備えることを特徴とする請求項２７〜３０のいずれか１項に記載のパッケージ。
【請求項３２】
前記第２のヒンジ（１４）に平行かつ対向する第３のヒンジ（１８）に沿って、前記追加パネル（１３）にヒンジ取り付けされたさらなるパネル（１７）を備えることを特徴とする請求項１〜３１のいずれか１項に記載のパッケージ。
【請求項３３】
互いに展げられたアコーディオン形状にヒンジ取り付けされ、第１番目のパネルは、前記第２のヒンジ（１４）に平行かつ対向する第３のヒンジ（１８）に沿って、前記追加パネル（１３）にヒンジ取り付けされた、複数のさらなるパネル（１７）を備えることを特徴とする請求項１〜３１のいずれか１項に記載のパッケージ。
【請求項３４】
前記第２のヒンジ（１４）が、予め弱くした切り離し線で形成されることを特徴とする請求項１〜３３のいずれか１項に記載のパッケージ。
【請求項３５】
前記フタ（５）が閉位置にある場合には、該フタ（５）と接触する前記容器本体（３）の第２の主側壁面（７）と副側壁面（９）の上部が、前記容器本体（３）の第２の主側壁面（７）と副側壁面（９）の残り部分よりも下げられることを特徴とする請求項１〜３４のいずれか１項に記載のパッケージ。
【請求項３６】
前記追加パネル（１３）と前記容器本体（３）の対応する主側壁面（７、８）のあいだには、脱着可能な結合システム（３３）が備わっており、前記追加パネル（１３）が折り畳み位置にある場合には、所定の力で前記追加パネル（１３）を前記容器本体（３）の対応する主側壁面（７、８）に接触させたまま保持することを特徴とする請求項１〜３５のいずれか１項に記載のパッケージ。
【請求項３７】
前記脱着可能な結合システム（３３）が、接着剤の複数の接着点で構成されることを特徴とする請求項３６記載のパッケージ。
【請求項３８】
前記脱着可能な結合システム（３３）が、前記追加パネル（１３）の底端を収容する、前記容器本体（３）の主側壁面（７、８）に形成されたスリット（３６）を有することを特徴とする請求項３６記載のパッケージ。
【請求項３９】
前記スリット（３６）に挿入される前記追加パネル（１３）の底端が、丸めてあることを特徴とする請求項３８記載のパッケージ。
【請求項４０】
前記脱着可能な結合システム（３３）が、前記容器本体（３）の副側壁面（９）には永久接続されており、前記追加パネル（１３）には脱着可能に接続されている脱着可能な粘着タブ（３４）で構成されることを特徴とする請求項３６記載のパッケージ。
【請求項４１】
前記脱着可能な結合システム（３３）が、前記追加パネル（１３）から横方向に突出した舌部（３５）と、その舌部（３５）が収容される、前記容器本体（３）の主側壁面（７、８）に形成されたスリット（３６）とで構成されることを特徴とする請求項３６記載のパッケージ。
【請求項４２】
前記容器本体（３）が、２つの平坦ブランク体（１９、２０）から形成され、第１のブランク体（１９）は、２本の第１縦方向折り曲げ線（２１）および第１横方向折り曲げ線（２２）を有しており、該第１横方向の折り曲げ線は、該２本の第１縦方向折り曲げ線（２１）のあいだで前記容器本体（３）の第２の主側壁面（７）を画定する第１パネル（７’）と、前記容器本体（３）の底面（１０）を画定する第２パネル（１０’）を画定し、前記第１パネル（７’）は、２つのウィング部（９’）を有し、該２つのウィング部は、前記容器本体（３）の副側壁面（９）を画定し、該第１パネル（７’）の両対向に位置し、前記２本の第１縦方向折り曲げ線（２１）により該第１パネル（７’）から分離され、それぞれがタブ（２３）を有することを特徴とする請求項１〜４１のいずれか１項に記載のパッケージ。
【請求項４３】
前記第２のブランク体（２０）が、複数の第２縦方向折り曲げ線（２４）および複数の第２横方向折り曲げ線（２５）を有し、該第２横方向折り曲げ線（２５）は、前記２本の第２縦方向折り曲げ線（２４）のあいだで、前記フタ（５）の前面を画定する第３パネル（２６）と、該フタ（５）の上面を画定する第４パネル（２７）と、前記容器本体（３）の第１の主側壁面（８）を画定する第５パネル（８’）と、前記容器本体（３）の底面（１０）を画定する第６パネル（１０”）を画定し、前記第５パネル（８’）は、２つのウィング部（９”）を有し、該２つのウィング部（９”）は、それぞれ前記容器本体（３）の副側壁面（９）を画定し、前記第５パネル（８’）の両対向に位置し、前記第２縦方向折り曲げ線（２４）により前記第５パネル（８’）から分離されており、前記追加パネル（１３）は、前記第５パネル（８’）のウィング（９”）の１つに接続されることを特徴とする請求項４２記載のパッケージ。
【請求項４４】
前記第２のブランク体（２０）が、複数の第２縦方向折り曲げ線（２４）および複数の第２横方向折り曲げ線（２５）を有し、該複数の第２横方向折り曲げ線（２５）は、前記２本の第２縦方向折り曲げ線（２４）のあいだで、前記フタ（５）の前面を画定する第３パネル（２６）と、前記フタ（５）の上面を画定する第４パネル（２７）と、前記追加パネル（１３）を画定し、前記第２のブランク体（２０）は、前記容器本体（３）の第１の主側壁面（８）を画定する第５パネル（８’）および前記容器本体（３）の底面（１０）を画定する第６パネル（１０”）を有し、前記第５パネル（８’）は、２つのウィング部（９”）を有し、該２つのウィング部（９”）は、それぞれ前記容器本体（３）の副側壁面（９）を画定し、前記第５パネル（８’）の両対向に位置し、前記第２縦方向折り曲げ線（２４）により前記第５パネル（８’）から分離されており、前記追加パネル（１３）は、前記第５パネル（８’）のウィング（９”）の１つに接続されることを特徴とする請求項４２記載のパッケージ。
【請求項４５】
前記第３パネル（２６）が、２つのウィング部（２８）を有し、該ウィング部（２８）が、それぞれ前記フタ（５）の側壁面を画定し、該第３パネル（２６）の両対向に位置し、前記第２縦方向折り曲げ線（２４）により前記第３パネル（２６）から分離されており、前記第４パネル（２７）が、該第４パネル（２７）の両対向に位置し、前記第２縦方向折り曲げ線（２４）により前記第４パネル（２７）から分離された２つのウィング部（２９）を有することを特徴とする請求項４３または４４記載のパッケージ。
【請求項４６】
前記容器本体（３）が、平坦なブランク体（２０）から形成され、該平坦なブランク体は、複数の縦方向折り曲げ線（２４）および複数の横方向折り曲げ線（２５）を有し、該複数の横方向折り曲げ線（２５）は、前記２本の縦方向折り曲げ線（２４）のあいだで、前記フタ（５）の前面を画定する第１パネル（２６）と、前記フタ（５）の上面を区画する第２パネル（２７）と、前記容器本体（３）の第１の主側壁面（８）を区画する第３パネル（８’）と、前記容器本体（３）の底面（１０）を区画する第４パネル（１０’）と、第２の主側壁面（７）を区画する第６パネル（７’）を区画しており、前記第３パネル（８’）は、２つの第１のウィング部（９”）を有し、該２つの第１のウィング部（９”）は、それぞれ前記容器本体（３）の副側壁面（９）を画定し、前記第５パネル（８’）の両対向に位置し、前記縦方向折り曲げ線（２４）により前記第５パネル（８’）から分離されることを特徴とする請求項１〜４１のいずれか１項に記載のパッケージ。
【請求項４７】
前記第１パネル（２６）が、２つの第２のウィング部（２８）を有し、該２つの第２のウィング部（２８）は、それぞれ前記フタ（５）の側壁面を画定し、前記第１パネル（２６）の両対向に位置し、前記縦方向折り曲げ線（２４）により前記第１パネル（２６）から分離されることを特徴とする請求項４６記載のパッケージ。
【請求項４８】
前記追加パネル（１３）が、前記第６パネル（７’）に接続されることを特徴とする請求項４６または４７記載のパッケージ。
【請求項４９】
前記追加パネル（１３）が、互いに重ねて接着された第７パネル（１３’）と第８パネル（１３”）を有し、該第７パネル（１３’）は、前記縦方向折り曲げ線（２４）の１つに合致した前記第２のヒンジ線（１４）に沿って前記第６パネル（７’）に接続され、該第８パネル（１３”）は、前記縦方向折り曲げ線（２４）に平行な折り曲げ線に沿って前記第７パネル（１３’）に接続されることを特徴とする請求項４６または４７記載のパッケージ。
【請求項５０】
前記容器本体（３）の副側壁面（９）が、２つのウィング部（９’）から部分的に画定され、第１のウィング部は、前記縦方向折り曲げ線（２４）に沿って前記第７パネル（７’）に接続され、第２のウィング部は、前記縦方向折り曲げ線（２４）に平行な折り曲げ線に沿って前記第８パネル（１３”）に接続されることを特徴とする請求項４９記載のパッケージ。
【請求項５１】
前記容器本体（３）が、２つの平坦ブランク体（１９、２０）から形成され、第１のブランク体（１９）は、２本の第１縦方向折り曲げ線（２１）および第１横方向折り曲げ線（２２）を有し、該第１横方向折り曲げ線（２２）は、前記２本の第１縦方向折り曲げ線（２１）のあいだで、前記容器本体（３）の第２の主側壁面（７）を画定する第１パネル（７’）と、前記容器本体（３）の底面（１０）を画定する第２パネル（１０’）を画定し、前記第１パネル（７’）は、２つのウィング部（９’）を有し、該２つのウィング部（９’）は、それぞれ前記容器本体（３）の副側壁面（９）を画定し、該第１パネル（７’）の両対向に位置し、前記２本の第１縦方向折り曲げ線（２１）により該第１パネル（７’）から分離されることを特徴とする請求項１〜４１のいずれか１項に記載のパッケージ。
【請求項５２】
前記第２のブランク体（２０）が、複数の第２縦方向折り曲げ線（２４）および複数の第２横方向折り曲げ線（２５）を有し、該複数の第２横方向折り曲げ線（２５）は、前記２本の第２縦方向折り曲げ線（２４）のあいだで、前記フタ（５）の前面を画定する第３パネル（２６）と、前記フタ（５）の上面を画定する第４パネル（２７）と、前記容器本体（３）の第１の主側壁面（８）を画定する第５パネル（８’）と、前記容器本体（３）の底面（１０）を画定する第６パネル（１０”）を画定し、前記第５パネル（８’）は、２つのウィング部（９”）を有し、該２つのウィング部（９”）は、それぞれ前記容器本体（３）の副側壁面（９）を画定し、前記第５パネル（８’）の両対向に位置し、前記第２縦方向折り曲げ線（２４）により前記第５パネル（８’）から分離されることを特徴とする請求項５１記載のパッケージ。
【請求項５３】
前記追加パネル（１３）が、前記横方向折り曲げ線（２５）に沿って前記第６パネル（１０”）に接続されることを特徴とする請求項５２記載のパッケージ。
【請求項５４】
前記追加パネル（１３）が、互いに重ねて接着された第７パネル（１３’）と第８パネル（１３”）を有し、該第７パネル（１３’）は、前記横方向折り曲げ線（２５）に沿って前記第６パネル（１０”）に接続され、該第８パネル（１３”）は、前記縦方向折り曲げ線（２４）に平行な折り曲げ線に沿って該第７パネル（１３’）に接続されていることを特徴とする請求項５２記載のパッケージ。
【請求項５５】
前記容器本体（３）が、平坦なブランク体（２０）から形成され、該平坦なブランク体（２０）は、複数の縦方向折り曲げ線（２４）および複数の横方向折り曲げ線（２５）を有し、該複数の横方向折り曲げ線（２５）は、前記２本の縦方向折り曲げ線（２４）のあいだで、前記フタ（５）の前面を画定する第１パネル（２６）と、前記フタ（５）の上面を画定する第２パネル（２７）と、前記容器本体（３）の第１の主側壁面（８）を画定する第３パネル（８’）と、前記容器本体（３）の底面（１０）を画定する第４パネル（１０’）を画定し、前記第３パネル（８’）は、２つの第１のウィング部（９”）を有し、該２つの第１のウィング部（９”）は、それぞれ前記容器本体（３）の副側壁面（９）を画定し、該第３パネル（８’）の両対向に位置し、前記縦方向折り曲げ線（２４）により該第３パネル（８’）から分離されており、前記第２の主側壁面（７）を画定する第６パネル（７’）は、前記縦方向折り曲げ線（２４）に平行な折り曲げ線に沿って前記第１ウィング部（９”）の片方に接続されことを特徴とする請求項１〜４１のいずれか１項に記載のパッケージ。
【請求項５６】
前記第１パネル（２６）が、２つの第２のウィング部（２８）を有し、該２つの第２のウィング部（２８）は、それぞれ前記フタ（５）の側壁面を画定し、前記第１パネル（２６）の両対向に位置し、前記縦方向折り曲げ線（２４）により前記第３パネル（２６）から分離されることを特徴とする請求項５５記載のパッケージ。
【請求項５７】
前記追加パネル（１３）が、前記第６パネル（７’）に接続されることを特徴とする請求項５５または５６記載のパッケージ。
【請求項５８】
前記追加パネル（１３）が、互いに重ねて接着された第７パネル（１３’）と第８パネル（１３”）を有し、該第７パネル（１３’）は、前記縦方向折り曲げ線（２４）に平行な折り曲げ線に沿って前記第６パネル（７’）に接続され、該第８パネル（１３”）は、前記縦方向折り曲げ線（２４）に平行な折り曲げ線に沿って前記第７パネル（１３’）に接続されていることを特徴とする請求項５５または５６記載のパッケージ。
【請求項５９】
前記ブランク体（２０）が、接着されて筒形状に形成されており、前記ブランク体２０が筒形状に組み立てられた後、小型にして容易に格納および搬送するために平坦化され、または、軸方向に束になったタバコ（２）を収容するために「開けられる」ことを特徴とする請求項５５〜５８記載のいずれか１項に記載のパッケージ。
【請求項６０】
２つの横方向端（１２）が、前記容器本体（３）の主側壁面（７、８）と底面（１０）とのあいだに画定され、前記追加パネル（１３）の第２のヒンジ（１４）は、前記横方向端（１２）に平行であることを特徴とする請求項１〜５９のいずれか１項に記載のパッケージ。
【請求項６１】
前記追加パネル（１３）の第２のヒンジ（１４）が、前記横方向端（１２）に合致することを特徴とする請求項６０記載のパッケージ。
【請求項６２】
前記主側壁面（７）の上部が、凹部（１６）を有し、前記追加パネル（１３）の第２のヒンジ（１４）は、該凹部（１６）に位置することを特徴とする請求項６０記載のパッケージ。
【請求項６３】
前記追加パネル（１３）の第２のヒンジ（１４）が、前記凹部（１６）で前記主側壁面（７）上に位置することを特徴とする請求項６２記載のパッケージ。
【請求項６４】
前記追加パネル（１３）の第２のヒンジ（１４）が、前記凹部（１６）で前記容器本体（３）のカラー上に位置することを特徴とする請求項６２記載のパッケージ。
【発明の詳細な説明】
【技術分野】
【０００１】
本発明は、タバコ製品のための強固なヒンジ式フタ付きのパッケージに関する。
【０００２】
本発明は、強固なタバコ用パッケージに優位に適用可能であって、下記の開示は実施例によって本発明を説明するものである。
【背景技術】
【０００３】
強固なヒンジ式フタ付きのタバコパッケージは、製造が簡単で、使いやすく実用的で、収納するタバコの物理的保護性が高いため、現在では最も広く使われている。
【０００４】
一般的に、強固なヒンジ式フタ付きのタバコパッケージは、開口端をもつカップ形の容器体と、その開口端を開閉するそれぞれの開位置と閉位置とのあいだで容器体に対してヒンジに沿って回転する、ヒンジ取り付けされたカップ形のフタとからなる。フタが閉位置にあるとき、パッケージは側面と２つの端面とで画定（define）される直方体となる。
【０００５】
パッケージの外面には、通常、ブランド名、パッケージ内のタバコの説明、政府の有害警告文、および場合によっては広告メッセージなどが印刷されている。しかし、タバコ製造業者が顧客に伝達しなくてはならない情報量が多すぎて、パッケージの外面が比較的小さく、そのほとんどが政府の有害警告文で占められている事実を考慮すると、外面に十分にはっきりと印字できないことがある。そのため、アコーディオン式に折り畳んだクーポンを、パッケージ内に挿入するか、あるいは、単数または複数の接着場所でパッケージの外面に貼付固定して、パッケージに添付するのが慣例となっている。
【０００６】
上記の形式のクーポンがついた強固なタバコパッケージは、その包装用機械にクーポン材料を貼付するための別工程を追加しなければならないため、製造コストが高くなる。さらに、パッケージから切り離したクーポンの扱いが問題となり、特に、パッケージを開封するさいに破棄できない場合は使用者にとってやっかいである。
【０００７】
国際公開第０１２８８７０号パンフレットは、強固なヒンジ式フタ付きパッケージであって、折り畳みリーフレットがパッケージの側壁面に貼付されており、アコーディオン式に折り畳まれてパッケージの背面に平面上に配置されたものを開示している。使用のさいには、使用者がリーフレットを展げてその両面に印字された情報を読み取るが、リーフレットの一部または全部をパッケージから切り離す破断線が設けられているにもかかわらず、通常はパッケージに貼付されたままである。リーフレットの印字情報は、広告、新製品の案内、懸賞マークなどさまざまであるが、リーフレットはその外面がパッケージの外面と同様の内容となるようにパッケージの外側に折り畳んであるため、一瞥しただけでは気付きにくい。
【０００８】
国際公開第０１２８８７０号パンフレットに開示されている同種のクーポンのついた強固なタバコパッケージは、クーポンが別途添付されている強固なタバコパッケージの欠点のいくつかを解消したものである。しかしながら、ひとたびパッケージを開封してクーポンを展げると、再度折り畳んでパッケージに固定するのが難しく、使用者にとっては問題となる。
【０００９】
また、独国特許出願公開１９８１４２５５号明細書に開示されているタバコカートンは、本体と折り曲げフタとからなり、本体の裏面にカートンの裏面のほとんどを覆う外向き折り畳みフラップがさらに備わっている。
【００１０】
米国特許５２３６０８４号明細書に記載の箱形タバコパッケージには、フタの底面から下方へ伸びるタブを備えたフタが設けられており、そのタブとフタの残り部分とのあいだに切断線が形成されているため、タブの全体または一部が簡単に除去できる。タブには所望の情報が印字または印刻されており、切り離された後に、クーポンまたはクーポン状紙片として利用できるが、タブを切り離さないと、パッケージの内包物つまりタバコを取り出すのに障害となり、使用者が直ちにタブを切り離すように仕向けられている。
【００１１】
また別の、独国特許出願公開３８３５３８５号明細書に開示されている薬剤用パッケージ箱は、容器の上面に取り出し口をもち、その取り出し口には閉鎖キャップが備わり、さらに、パッケージ箱内の所定の位置に固定された情報リーフレットが備わっており、その情報リーフレットを破損しないように、常に同じ位置で開くようなパッケージ構造となっている。
【発明の開示】
【００１２】
本発明の目的は、従来のパッケージより利用が簡単で、前述した問題点を解消し、同時に、製造が簡単で安価である、タバコ製品用の強固なヒンジ式フタ付きのパッケージを提供することである。
【００１３】
本発明によるタバコ製品用の強固なヒンジ式フタ付きのパッケージは、添付の特許請求の範囲に記載されているとおりである。
【発明を実施するための最良の形態】
【００１４】
図１中の番号１は、強固なタバコパッケージの全体を示し、該パッケージには、しばしば「ＰＵＬＬ」と印字された上部切断部をもつフォイル包装材料に包まれた、一般的に直方体状のタバコ束２（図４と５を参照）が内包されている。
【００１５】
パッケージ１は、上部開口端４をもつカップ形の容器本体３と、その開口端４を開閉するため、開位置（図３〜５）と閉位置（図１および２）とのあいだで容器本体３に対して回転できるよう、ヒンジ６でヒンジ取り付けされたカップ形のフタ５とからなる。
【００１６】
容器本体３は、直方体状であって、２つの主側壁面７および８と、２つの副側壁面９と、底面１０とで構成される。前述のように、容器本体３は上部開口端４が開口している。より具体的には、片方の主側壁面７が容器本体３の前面７を構成し、別の主側壁面８が容器本体３の背面８を構成している。
【００１７】
副側壁面９と主側壁面７および８とのあいだには４つの縦方向端１１が設けられ、底面１０と側壁面７、８、９とのあいだには４つの横方向端１２が設けられている。添付の図面から判るように、縦方向端１１と横方向端１２は、直角端である。
【００１８】
パッケージ１は、さらに、追加パネル１３を備えており、該追加パネル１３は、追加パネル１３が容器本体３から離脱する展げられた位置（図４と５を参照）と、追加パネル１３が容器本体３の主側壁面７である前面７上に保持される折り畳み位置（図１〜３を参照）とのあいだで、容器本体３に対して回転できるよう、ヒンジ１４にてヒンジ取り付けされている。つまり、前記折り畳み位置では、追加パネル１３は、閉位置にあるフタ５により容器本体３の主側壁面７に接触保持されており、そのために、追加パネル１３の大きさは、容器本体３の主側壁面７である前面７と同じサイズとなっている。
【００１９】
図２に明示するように、フタ５は、容器本体３の主側壁面８である背面８上に配備されたヒンジ６により容器本体３にヒンジ取り付けされている。つまり、フタ５のヒンジ６は、容器本体３の横方向端１２に平行であり、容器本体３の主側壁面８である背面８の上端辺に位置する。
【００２０】
追加パネル１３のヒンジ１４は、縦方向端１１に平行であり、容器本体３の主側壁面７である前面７に沿って伸長する縦方向端１１の片方に合致する。
【００２１】
図１から５に示す実施例における追加パネル１３は、該追加パネル１３から横方向に突き出しており、フタ５が閉位置にあるときにはフタ５の内側表面と係合し、フタ５が不必要に開状態とならないよう、所定の力でもってフタ５を閉位置に保持する２つの突起部１５を備える。
【００２２】
図示しない別の例として、突起部１５は、容器本体３の主側壁面７である前面７のみに設けてもよいし、あるいは、容器本体３の主側壁面７である前面７と追加パネル１３の両方に設けても構わない。
【００２３】
容器本体３の上部開口端４からタバコを簡単に取り出せるよう、容器本体３の主側壁面７である前面７の上端には凹部１６が備わる。
【００２４】
図５に示すように、好ましくは、さらなる別のパネル１７が、追加パネル１３のヒンジ１４に平行に対向するヒンジ１８により、追加パネル１３にヒンジ取り付けされる。また、複数のパネル１７を、アコーディオン形状を広げるよう互いにヒンジ接続して取り付けてもよい。
【００２５】
あるいは別の例として、パネル１３のヒンジ１４、および／または、パネル１７のヒンジ１８を、使用者がパネル１７またはパネル１３とパネル１７とを簡単に容器本体３から切り離せるように、切断線で区分することもできる。
【００２６】
図６と７に示すように、図１〜５の容器本体３は、２つの平面ブランク体(flat blank)１９および２０から構成されており、それらブランク体の部位は、可能な場合、容器本体３の同様の部位と同じ番号に上側符号を付けて示す。
【００２７】
ブランク体１９は、２本の縦方向折り曲げ線２１と、それら２本の縦方向折り曲げ線２１のあいだに伸びる１本の横方向折り曲げ線２２とを備え、パネル７’は容器本体３の主側壁面７である前面７画定し、第２のパネル１０’は容器本体３の底面１０を画定する。パネル７’は、パネル７’の両対向に配置され、縦方向折り曲げ線２１によりパネル７’から分離された、容器本体３の副側壁面９の部位を確定する２つのウィング部９’を備え、それぞれのウィング部９’は、横方向折り曲げ線２２によりウィング部９’から分離されたタブ２３を備える。
【００２８】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０”は容器本体３の底面１０の一部を画定する。パネル８’は、パネル８’の両対向に配置され、縦方向折り曲げ線２４によりパネル８’から分離された、容器本体３の副側壁面９の部位を確定する２つのウィング部９”を備える。パネル８’のウィング部９”の片方には、縦方向折り曲げ線２４の１本に合致するヒンジ線１４に沿って追加パネル１３が接続している。
【００２９】
パネル２６は、該パネル２６の両対向に配置され、縦方向折り曲げ線２４によりパネル２６から分離された、フタ５の側壁面を画定する２つのウィング部２８を備え、パネル２７は、該パネル２７の両対向に配置され、縦方向折り曲げ線２４によりパネル２７から分離された、２つのウィング部２９を備えるのが望ましい。さらに、パネル２６は、該パネル２６上に折り畳まれた補強フラップ部３０も備える。
【００３０】
図８と９に示す実施例におけるフタ５のヒンジ６は、折り畳み位置にある場合には、容器本体３の主側壁面８である背面８上に配置される追加パネル１３上に配置されている。追加パネル１３が折り畳み位置にある場合には、フタ５のヒンジ６は横方向端１２に平行で、容器本体３の主側壁面８である背面８の上端辺に位置する。追加パネル１３のヒンジ１４は、縦方向端１１に平行で、容器本体３の主側壁面８である背面８に沿って伸長する縦方向端１１の片方に合致する。
【００３１】
容器本体３の主側壁面７である前面７は、主側壁面７から横方向に突出し、フタ５が閉位置のとき、フタ５の内側表面に係合する２つの突起部１５を備える。
【００３２】
図８と９に示すように、容器本体３の主側壁面８である背面８の上部には凹部１６が設けられている。別の例として、主側壁面７の上部だけに、あるいは、主側壁面７の上部にも凹部１６を設けることも可能である。
【００３３】
図８と９に示すパッケージ１を形成する図１０に示すブランク体１９は、図１〜５に示すパッケージ１を形成する図６に示すブランク体１９と相似であって、図８と９に示すパッケージ１を形成する図１１に示すブランク体２０は、図１〜５に示すパッケージ１を形成する図７に示すブランク体２０と類似するが相似ではない。
【００３４】
図１１に示すブランク体２０は、複数の縦方向折り曲げ線２４と、２本の縦方向折り曲げ線２４のあいだに伸びる複数の横方向折り曲げ線２５と、フタ５の前面を画定するパネル２６と、フタ５の上面を画定するパネル２７と、追加パネル１３とからなる。さらにブランク体２０は、容器本体３の主側壁面８である背面８を画定するパネル８’と、容器本体３の底面１０の一部を画定するパネル１０”を備える。パネル８’は、パネル８’の両対向に配置され、縦方向折り曲げ線２４によりパネル８’から分離された、容器本体３の副側壁面９の部位を画定する２つのウィング部９”を備える。
【００３５】
図１２に示す実施例における追加パネル１３のヒンジ１４は、横方向端１２に平行で、容器本体３の主側壁面である前面７を横切って伸長する横方向端１２に合致する。
【００３６】
図示しない別の実施例として、追加パネル１３のヒンジ１４が、横方向端１２に平行で、前面７の凹部１６に位置しても構わない。つまり、追加パネル１３は、横方向端１２に平行で、前面７の凹部１６に位置するヒンジ１４により容器本体３の前面７に接続している。追加パネル１３の横方向サイズは、前面７の横方向サイズよりも小さく、特に、凹部１６の横方向サイズとほぼ等しいのが好ましい。
【００３７】
さらに図示しない別の実施例として、容器本体３の上端開口４から部分的に突出するカラーを、容器本体３内に備える。その場合、追加パネル１３のヒンジ１４は、横方向端１２に平行で、凹部１６に位置するようカラー上に形成してよい。追加パネル１３の横方向サイズは、前面７の横方向サイズよりも小さく、特に、凹部１６の横方向サイズとほぼ等しいのが好ましい。
【００３８】
さらにまた図示しない別の実施例として、フタ５が閉位置のとき、フタ５に接触する、容器本体３の主側壁面７と副側壁面９の上部を、容器本体３の主側壁面７と副側壁面９の残り部分に対して下がって、フタ５が閉位置のとき、フタ５の底端と容器本体３の側壁面７および９とのあいだに段差が形成されるのを防止するため、セットバック形成する。
【００３９】
また、追加パネル１３が折り畳み位置にあるとき、所定の力で容器本体３の主側壁面７または８に追加パネル１３を接触保持できるよう、追加パネル１３と容器本体３の主側壁面７または８のあいだに脱着可能な結合システム(releasable fastening system)を備えることも可能である。そのような結合システムは、たとえば、単数または複数の点における接着剤の利用、あるいは、追加パネル１３に底端を受け入れるために、容器本体３の主側壁面７または８にスリットを形成することで実現できる（後者の場合、追加パネル１３を、容器本体３の主側壁面７または８よりもわずかに小さくする）。
【００４０】
添付の図面に示す実施例では、縦方向端１１と横方向端１２が直角端となっている。図示しない別の例として、縦方向端１１および／または横方向端１２のいくつかを直角端ではなく、丸め形状やベベル形状の端で構成することも可能である。たとえば、縦方向端１１を非直角の丸め形状やベベル形状の端としたり、（ヨーロッパ出願ＥＰ−Ａ１−０７６４５９５に記載のタバコパッケージのように）主横方向端１２（側壁面１０と主側壁面７および８とのあいだ）を非直角の丸め形状やベベル形状の端にしても構わない。さらに別の例として、縦方向端１１と横方向端１２のいくつかを非直角の丸め形状やベベル形状にして、非直角の丸め形状やベベル形状の縦方向端１１と非直角の丸め形状やベベル形状の横方向端１２の組み合わせを実現することも可能である。
【００４１】
さらにまた別の図示しない例として、ヨーロッパ出願ＥＰ−Ａ１−１０６６２０５に記載のようなタバコパッケージの形状があり、主側壁面７と８のそれぞれが、中央部分が平坦な外向きの凸形状に形成され、非直角の縦方向端１１をもつ副側壁面９とその中央部とを接続する２本の予め薄く形成した曲面横帯が設けられている。
【００４２】
追加パネル１３、および、さらに別のパネル１７に、図形、写真、記号、文章などを印刷して、パネル１３が折り畳み位置にあるときでも、追加パネル１３や別のパネル１７の表面が上側になって可視できるようにすることもできる。
【００４３】
図１〜５に図示の実施例に対して、図１３〜１６に図示の実施例では、パネル１３にヒンジ取り付けされた別のパネル１７がなく、容器本体３からのタバコの取り出しを容易にするため、容器本体３の副側壁面９の高さが背面８よりも低く設定してあり、容器本体３の前面７の凹部１６が、非対称で、追加パネル１３のヒンジ１４に対向する縦方向端１１ではより深く形成されている。
【００４４】
つまり、各副側壁面９の上端が、フタ５が開口４を閉鎖する閉位置にある場合には（図１３）、フタ５の同様の底端にほぼ合致する。そのため、副側壁面９の上端は傾斜しており、容器本体３の背面８側が底面となる直角台形状に形成されている。
【００４５】
図１３〜１６に図示の実施例では、容器本体３内にカラーが設けられていない。図１７〜２７に示す別の実施例は、上部開口４から部分的に外側に突き出し、フタ５が閉位置にある場合には、フタ５の対応する内側表面に係合できる、Ｕ形状に折り畳めて、容器本体３の内側表面に貼付されたカラー３１を備える。カラー３１の上端は、容器本体３からのタバコの取り出しを簡単にするため、凹部３２を設けるために切り込まれている。好ましい例として、カラー３１の凹部３２を、容器本体３の前面７の凹部１６のように非対称形状とする。つまり、カラー３１の凹部３２は、容器本体３の前面７、および、追加パネル１３のヒンジ１４に対向する副側壁面９にのみ設けられている。言い換えれば、凹部３２は、追加パネル１３のヒンジ１４側の副側壁面９には設けられていない。
【００４６】
図１３〜１６に示す実施例は、フタ５が容器本体３の上端開口４を開く開位置にあるときに、容器本体３の前面７に追加パネル１３を保持しておくための結合システムを備えていない。別の例として、図１９〜２９に示すように、フタ５が容器本体３の上端開口４を開く開位置にあるときに、追加パネル１３を容器本体３の前面７に保持しておくための脱着可能な結合システム３３を備える。
【００４７】
図１７、１８、２３、２４に示す実施例における結合システム３３は、容器本体３の副側壁面９に永久固定され、追加パネル１３には脱着可能に接続された脱着可能な粘着タブ３４からなる。ヒンジ１４まわりに追加パネル１３を回転させるには、粘着タブ３４を追加パネル１３から離脱させ、容器本体３の前面７に追加パネル１３を保持しておくためには、粘着タブ３４を追加パネル１３に粘着貼付しておくのである。
【００４８】
図１９〜２２および図２５〜２７に示す実施例では、脱着可能な結合システム３３が、追加パネル１３から横方向に突出した舌片３５と、該舌片３５を挿入するスリット３６とが容器本体３の前面７の縦方向端１１に形成されており、該スリットは、追加パネル１３が前面７との接触位置にある場合には、舌片３５と対向する。ヒンジ１４まわりに追加パネル１３を回転させるには、舌片３５をスリット３６から離脱させ、容器本体３の前面７上に追加パネル１３を保持しておくためには、舌片３５をスリット３６に挿入する。舌片３５をスリット３６から離脱させるために必要な所定の柔軟性を舌片３５に付与できるよう、舌片３５とスリット３６のあいだに所定の形状／寸法のインターフェイス部材を設けても構わない。
【００４９】
図２８と２９に示す実施例における脱着可能な結合システム３３は、追加パネル１３のヒンジ１４に対向する縦方向端１１が底の横方向端１２と交差する点に近接して容器本体３の前面７に形成された、追加パネル１３の角端が挿入されるスリット３６からなる。図２８と２９において、好ましくは、スリット３６とそのスリット３６に挿入する追加パネル１３の角端の形状を丸くする。
【００５０】
図１７と１８に示すパッケージ１の、図１３〜１６に示すパッケージ１と違う点は、カラー３１と、粘着タブ３４からなる脱着可能な結合システム３３とを備えることである。
【００５１】
図１９と２０に示す実施例における追加パネル１３には、追加パネル１３が前面７との接触位置にある場合に、容器本体３の前面７の対応部分が可視できる中央貫通孔３７が備わる。貫通孔３７は、完全に開口しているか、あるいは、追加パネル１３の内側表面または背面に貼付された透明素材または半透明素材のシート３８にて閉止されている。貫通孔３７は、容器本体３の前面７上に印刷された画像（図示しない）で構成しても構わない。
【００５２】
図２１と２２に示す実施例では、たとえば、小型クリップ（組立後は図示しない）などの組立可能な部位３９が、容器本体３の前面７および／または追加パネル１３から切り離し可能に形成されている。言い換えれば、組立可能な部位３９の輪郭線を、その部位３９を切り離すことができるよう、容器本体３の前面７および／または追加パネル１３に形成する。
【００５３】
図２３と２４に図示の実施例では、たとえば、香水サンプル、化粧品サンプル、菓子製品などの小さな物品４１を保持するため、追加パネル１３の内側表面にシート部４０が形成されている。物品４１の厚みを考慮して、追加パネル１３は、追加パネル１３が容器本体３の前面７との接触位置にある場合に、その前面７から追加パネル１３を持ち上げて保持できるよう２つのタブ４２を備える。
【００５４】
図２５〜２７に示す実施例では、可動挿入体４３が、容器本体３の前面７に接続してあり、追加パネル１３が前面７の接触位置にある場合には、前面７に平行に保持され、追加パネル１３が前面７から離脱した場合には、前面７から垂直に立ち上がる。つまり、可動挿入体４３の端部が追加パネル１３の内側表面に固定されており、追加パネル１３がヒンジ１４まわりに回転するにつれ、可動挿入体４３は自動的に移動できる。図示しない別の例として、可動挿入体４３を、追加パネル１３の前面７に対向した位置に接続することもできる。
【００５５】
図１３〜２９の容器本体３は、図３０に示す平面ブランク体２０から形成することができ、そのブランク体の部位は、容器本体３の同様の部位と同じ番号に上側符号を付けて示す。
【００５６】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０’は容器本体３の底面１０の一部となり、パネル７’は容器本体３の主側壁面７である前面７となる。
【００５７】
パネル８’は、パネル８’の両対向に配置され、縦方向折り曲げ線２４によりパネル８’から分離された、容器本体３の副側壁面９の部位を画定する２つのウィング部９”を備える。
【００５８】
別の追加パネル１３が、片方が他方に重ねて貼付される２つのパネル１３’と１３”から構成され、パネル１３’は、縦方向折り曲げ線２４の１本に合致するヒンジ線１４に沿ってパネル７’に接続されており、パネル１３”は、縦方向折り曲げ線２４に平行な別の縦方向折り曲げ線に沿ってパネル１３’に接続されている。
【００５９】
パネル２６は、該パネル２６の両対向に配置され、縦方向折り曲げ線２４によりパネル２６から分離された、フタ５の側壁面を画定する２つのウィング部２８を備え、ウィング部９”のそれぞれが、横方向折り曲げ線２５によりウィング部９”から分離された、さらに２つのウィング部２９’と２９”を備えるのが望ましい。さらに、パネル２６は、該パネル２６に折り畳まれた補強フラップ部３０も備える。
【００６０】
２つのウィング部９’により容器本体３の副側壁面９が構成され、その片方は縦方向折り曲げ線２４に沿ってパネル７’に接続しており、他方は縦方向折り曲げ線２４に平行な別の縦方向折り曲げ線に沿ってパネル１３”に接続している。
【００６１】
また、図１３〜２９の容器本体３は、図３２に示す平面ブランク体２０から形成することができ、該ブランク体の部位は、容器本体３の同様の部位と同じ番号に上側符号を付けて示す。図３２に示すブランク体２０は、図３０に示すブランク体２０とほぼ相似であるが、図３２のブランク体２０にはスリット３６が設けられている点が違う。
【００６２】
さらにまた、図１３〜３３の容器本体３は、図１９と２０に示す平面ブランク体１９と２０から形成することができ、それらブランク体の部位は、容器本体３の同様の部位と同じ番号に上側符号を付けて示す。
【００６３】
ブランク体１９は、２本の縦方向折り曲げ線２１と、それら２本の縦方向折り曲げ線２１のあいだに伸びる１本の横方向折り曲げ線２２とを備え、パネル７’は容器本体３の主側壁面７である前面７となり、第２のパネル１０’は容器本体３の背面１０を画定する。パネル７’は、パネル７’の両対向に配置され、縦方向折り曲げ線２１によりパネル７’から分離された、容器本体３の副側壁面９の部位を確定する２つのウィング部９’を備え、片方のウィング部９’は、横方向折り曲げ線２２によりウィング部９’から分離されたタブ２３を備える。
【００６４】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０”は容器本体３の底面１０の一部となり、パネル１３’は追加パネル１３の一部を画定する。
【００６５】
パネル８’は、パネル８’の両対向に配置され、縦方向折り曲げ線２４によりパネル８’から分離された、容器本体３の副側壁面９の部位を画定する２つのウィング部９”を備える。
【００６６】
パネル２６は、そのパネル２６の両対向に配置され、縦方向折り曲げ線２４によりパネル２６から分離された、フタ５の側壁面を画定する２つのウィング部２８を備え、各ウィング部９”は、横方向折り曲げ線２５によりウィング部９”から分離された、さらなる２つのウィング部２９’と２９”を備えるのが望ましい。さらに、パネル２６は、そのパネル２６に折り畳まれた補強フラップ部３０も備える。
【００６７】
別の追加パネル１３が、片方が他方に重ねて貼付される２つのパネル１３’と１３”から構成され、パネル１３”は、縦方向折り曲げ線２４に沿ってパネル１３’に接続されている。さらに別のウィング部９”’が、縦方向折り曲げ線２４に平行な別の縦方向折り曲げ線に沿ってウィング部９”に接続されている。
【００６８】
さらにまた、図１３〜３３の容器本体３は、図２１と２２に示す平面ブランク体１９および２０からも形成することができ、それらブランク体の部位は、容器本体３の同様の部位と同じ番号に上側符号を付けて示す。
【００６９】
ブランク体１９は、２本の縦方向折り曲げ線２１と、それら２本の縦方向折り曲げ線２１のあいだに伸びる１本の横方向折り曲げ線２２とを備え、パネル７’は容器本体３の主側壁面７である前面７となり、第２のパネル１０’は容器本体３の背面１０を画定する。パネル７’は、パネル７’の両対向に配置され、縦方向折り曲げ線２１によりパネル７’から分離された、容器本体３の副側壁面９の部位を画定する２つのウィング部９’を備える。
【００７０】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０”は容器本体３の底面１０の一部を画定し、パネル１３’は追加パネル１３の一部を画定する。
【００７１】
パネル８’は、パネル８’の両対向に配置され、縦方向折り曲げ線２４によりパネル８’から分離された、容器本体３の副側壁面９の部位を画定する２つのウィング部９”を備える。
【００７２】
パネル２６は、該パネル２６の両対向に配置され、縦方向折り曲げ線２４によりパネル２６から分離された、フタ５の側壁面を画定する２つのウィング部２８を備え、各ウィング部９”は、横方向折り曲げ線２５によりウィング部９”から分離された、さらなる２つのウィング部２９’と２９”を備えるのが望ましい。さらに、パネル２６は、該パネル２６に折り畳まれた補強フラップ部３０も備える。
【００７３】
別の追加パネル１３が、片方が他方に重ねて貼付される２つのパネル１３’と１３”から構成され、パネル１３”は、縦方向折り曲げ線２４に沿ってパネル１３’に接続されている。さらに別のウィング部９”’が、縦方向折り曲げ線２４に沿ってパネル１３’に接続されている。
【００７４】
図１３〜２９の容器本体３は、図３７に示す平面ブランク体２０からも形成することができ、そのブランク体の部位は、容器本体３の同様の部位と同じ番号に上側符号を付けて示す。
【００７５】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０’は容器本体３の底面１０の一部を画定する。
【００７６】
パネル８’は、パネル８’の両対向に配置され、縦方向折り曲げ線２４によりパネル８’から分離された、容器本体３の副側壁面９の部位を画定する２つのウィング部９”を備える。容器本体３の主側壁面７である前面７を画定するパネル７’が、縦方向折り曲げ線２４に平行な別の縦方向折り曲げ線に沿って片方のウィング部９”に接続されている。容器本体３の底面１０を画定するパネル１０”は、縦方向折り曲げ線２４に沿ってパネル７’に接続されている。
【００７７】
別の追加パネル１３が、片方が他方に重ねて貼付される２つのパネル１３’と１３”から構成され、パネル１３’は、縦方向折り曲げ線２４に平行なヒンジ線１４に沿ってパネル７’に接続されており、パネル１３”は、縦方向折り曲げ線２４に平行な別の縦方向折り曲げ線に沿ってパネル１３’に接続されている。さらにまた、容器本体３の副側壁面９の一部を画定するウィング部９’が、縦方向折り曲げ線２４に平行な別の縦方向折り曲げ線に沿ってパネル１３”に接続されている。
【００７８】
パネル２６は、該パネル２６の両対向に配置され、縦方向折り曲げ線２４によりパネル２６から分離された、フタ５の側壁面を画定２つのウィング部２８を備え、前記ウィング部９”のそれぞれが、横方向折り曲げ線２５によりウィング部９”から分離された、さらに２つのウィング部２９’と２９”を備えるのが望ましい。さらに、パネル２６は、該パネル２６に折り畳まれた補強フラップ部３０も備える。
【００７９】
図３７に示すブランク体２０は、図３８に示す筒形状に接着して形成される。つまり、パネル１３’を折り曲げてパネル１３”に接着して、追加パネル１３を形成し、ウィング部９’を折り曲げて対向するウィング部９”に接着する。図３７に示すブランク体２０を筒形状に組み立てた後、（図３８に示すように）小さくして、格納や搬送が容易とするために平坦化して、あるいは、開口状態にすれば、タバコの束２を収納することができる。
【００８０】
図１〜５の実施例における追加パネル１３に接続されたものと違って、図３９〜４２に示す実施例では、さらに別のパネル１７は、追加パネル１３の反対側の容器本体３に、縦方向端１１に合致したヒンジ１８に沿ってヒンジ取り付けされており、それら２つのパネル１３と１７で、容器本体３の前面７を覆う２つのウィング部を形成する。
【００８１】
また、図１〜５の実施例と違って、図３９〜４２に示す実施例における容器本体３の副側壁面９は、容器本体３からタバコを取り出し易くするため、容器本体３の背面８よりも背が低くなっている。言い替えれば、図３９〜４２に示す副側壁面９は、図１３〜１６に示す副側壁面９と同様構造である。つまり、副側壁面９の上端は、フタが開口４を閉止する閉位置にある場合には（図３９を参照）、フタの底端にほぼ合致するのである。そのため、副側壁面９の上端は傾斜しており、容器本体３の背面８側が底面となる直角台形状に形成されている。
【００８２】
図３９〜４２に示すパッケージ１における容器本体３の前面７の凹部は、パネル１３と１７の対称構成に対応する対称形状となっている。図３９〜４２に図示の実施例では、容器本体３内にカラーが設けられていないが、図示しない別の実施例としてカラーを装備することも可能である。
【００８３】
図３９〜４２の容器本体３は、図４３に示す平面ブランク体２０から形成することができ、該ブランク体の部位は、容器本体３の同様の部位と同じ番号に上側符号を付けて示す。
【００８４】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０’は容器本体３の底面１０の一部となり、パネル７’は容器本体３の主側壁面である前面７を画定する。
【００８５】
パネル８’は、パネル８’の両対向に配置され、縦方向折り曲げ線２４によりパネル８’から分離された、容器本体３の副側壁面９の部位を画定する２つのウィング部９”を備える。
【００８６】
別の追加パネル１３が、片方が他方に重ねて貼付される２つのパネル１３’と１３”から構成され、パネル１３’は、片方の縦方向折り曲げ線２４に合致するヒンジ線１４に沿ってパネル７’に接続されており、パネル１３”は、縦方向折り曲げ線２４に平行な別の縦方向折り曲げ線に沿ってパネル１３’に接続されている。
【００８７】
同様に、別の追加パネル１７が、片方が他方に重ねて貼付される２つのパネル１７’と１７”から構成され、パネル１７’は、片方の縦方向折り曲げ線２４に合致するヒンジ線１８に沿ってパネル７’に接続されており、パネル１７”は、縦方向折り曲げ線２４に平行な別の縦方向折り曲げ線に沿ってパネル１７’に接続されている。
【００８８】
パネル２６は、該パネル２６の両対向に配置され、縦方向折り曲げ線２４によりパネル２６から分離された、フタ５の側壁面を画定する２つのウィング部２８を備え、前記ウィング部９”のそれぞれが、横方向折り曲げ線２５によりウィング部９”から分離された、さらに２つのウィング部２９’と２９”を備えるのが望ましい。さらに、パネル２６は、そのパネル２６に折り畳まれた補強フラップ部３０も備える。
【００８９】
２つのウィング部９’により容器本体３の副側壁面９が構成され、その片方は縦方向折り曲げ線２４に平行な別の縦折り曲げ線に沿ってパネル１７”に接続しており、他方は縦方向折り曲げ線２４に平行な別の縦方向折り曲げ線に沿ってパネル１３”に接続している。
【００９０】
図３９〜４２の実施例と違って、図４４〜４６に示すパネル１３と１７は大きさが半分であるため、容器本体３の前面７上で互いに重なるのではなく、容器本体３の前面７上に横並びで配置される。
【００９１】
また、図４４〜４６に示す容器本体３は、図４７に示す平面ブランク体２０から形成することができ、それらブランク体の部位は、容器本体３の同様の部位と同じ番号に上側符号を付けて示す。
【００９２】
ブランク体２０は、２本の縦方向折り曲げ線２４と、それら２本の縦方向折り曲げ線２４のあいだに伸びる複数の横方向折り曲げ線２５とを備え、パネル２６はフタ５の前面となり、パネル２７はフタ５の上面となり、パネル８’は容器本体３の主側壁面８である背面８となり、パネル１０’は容器本体３の底面１０の一部となり、パネル７’は容器本体３の主側壁面である前面７を画定する。
【００９３】
パネル８’は、パネル８’の両対向に配置され、縦方向折り曲げ線２４によりパネル８’から分離された、容器本体３の副側壁面９の部位を確定する２つのウィング部９”を備える。
【００９４】
別の追加パネル１３が、片方が他方に重ねて貼付される２つのパネル１３’と１３”から構成され、パネル１３’は、片方の縦方向折り曲げ線２４に合致するヒンジ線１４に沿ってパネル７’に接続されており、パネル１３”は、縦方向折り曲げ線２４に平行な別の縦方向折り曲げ線に沿ってパネル１３’に接続されている。
【００９５】
同様に、別の追加パネル１７が、片方が他方に重ねて貼付される２つのパネル１７’と１７”から構成され、パネル１７’は、片方の縦方向折り曲げ線２４に合致するヒンジ線１４に沿ってパネル７’に接続されており、パネル１７”は、縦方向折り曲げ線２４に平行な別の縦方向折り曲げ線に沿ってパネル１７’に接続されている。
【００９６】
パネル２６は、該パネル２６の両対向に配置され、縦方向折り曲げ線２４によりパネル２６から分離された、フタ５の側壁面を画定する２つのウィング部２８を備え、前記ウィング部９”のそれぞれが、横方向折り曲げ線２５によりウィング部９”から分離された、さらに２つのウィング部２９’と２９”を備えるのが望ましい。さらに、パネル２６は、そのパネル２６に折り畳まれた補強フラップ部３０も備える。
【００９７】
前記２つのウィング部９’により容器本体３の副側壁面９が構成され、その片方は縦方向折り曲げ線２４に平行な別の縦折り曲げ線に沿ってパネル１７”に接続しており、他方は縦方向折り曲げ線２４に平行な別の縦方向折り曲げ線に沿ってパネル１３”に接続している。
【００９８】
上記で説明したパッケージ１は複数の長所を有している。すなわち、少しのマイナー調整を行うだけで周知の自動パッキング装置に適合でき、パッケージ１を形成するブランク体にクーポンを物理的に接続することも可能であるため、別途に供給する必要がなく、使用者はクーポンを広げることなくパッケージ１からタバコを取り出すことができ、クーポンを再度折り畳むことも迅速で簡単にできるため、クーポンをパッケージ１に接続したままでも、使用者が困ることはない。
【産業上の利用可能性】
【００９９】
上記で説明した数々のパッケージ１の長所により、パッケージ１の構造は、タバコカートンや巻きタバコケースなどのタバコ製品の多様な種類の強固な容器の製造にも、一体的に適用可能である。
【図面の簡単な説明】
【０１００】
【図１】本発明による、強固なタバコパッケージの閉状態における前面斜視図である。
【図２】図１に示す、強固なタバコパッケージの閉状態における背面斜視図である。
【図３】図１に示す、強固なタバコパッケージの一部開状態における前面斜視図である。
【図４】図１に示す、強固なタバコパッケージの開状態における前面斜視図である。
【図５】図１に示す、強固なタバコパッケージのさらなる開状態における前面斜視図である。
【図６】図１〜５に示す強固なタバコパッケージを形成するためのブランク体の平面図である。
【図７】図１〜５に示す強固なタバコパッケージを形成するためのブランク体の平面図である。
【図８】本発明による、強固なタバコパッケージの開状態における前面斜視図である。
【図９】図８に示す、強固なタバコパッケージのさらなる開状態における前面斜視図である。
【図１０】図８と９に示す強固なタバコパッケージを形成するためのブランク体の平面図である。
【図１１】図８と９に示す強固なタバコパッケージを形成するためのブランク体の平面図である。
【図１２】本発明による、強固なタバコパッケージの開状態における前面斜視図である。
【図１３】本発明による、強固なタバコパッケージの閉状態における前面斜視図である。
【図１４】図１３に示す、強固なタバコパッケージの一部開状態における前面斜視図である。
【図１５】図１３に示す、強固なタバコパッケージの一部開状態における前面斜視図である。
【図１６】図１３に示す、強固なタバコパッケージの開状態における前面斜視図である。
【図１７】図１３に示す、強固なタバコパッケージの変更例の閉状態における前面斜視図である。
【図１８】図１３に示す、強固なタバコパッケージの変更例の開状態における前面斜視図である。
【図１９】図１３に示す、強固なタバコパッケージの変更例の閉状態における前面斜視図である。
【図２０】図１３に示す、強固なタバコパッケージの変更例の開状態における前面斜視図である。
【図２１】図１３に示す、強固なタバコパッケージの変更例の閉状態における前面斜視図である。
【図２２】図１３に示す、強固なタバコパッケージの変更例の開状態における前面斜視図である。
【図２３】図１３に示す、強固なタバコパッケージの変更例の閉状態における前面斜視図である。
【図２４】図１３に示す、強固なタバコパッケージの変更例の開状態における前面斜視図である。
【図２５】図１３に示す、強固なタバコパッケージの変更例の閉状態における前面斜視図である。
【図２６】図１３に示す、強固なタバコパッケージの変更例の開状態における前面斜視図である。
【図２７】図１３に示す、強固なタバコパッケージの変更例の開状態における前面斜視図である。
【図２８】図１３に示す、強固なタバコパッケージの変更例の閉状態における前面斜視図である。
【図２９】図１３に示す、強固なタバコパッケージの変更例の開状態における前面斜視図である。
【図３０】図１３〜２９に示す強固なタバコパッケージを形成するためのブランク体の平面図である。
【図３１】図１３〜２９に示す強固なタバコパッケージを形成するためのカラーの平面図である。
【図３２】図１３〜２９に示す強固なタバコパッケージを形成するための、ブランク体の平面図である。
【図３３】図１３〜２９に示す強固なタバコパッケージを形成するためのブランク体の平面図である。
【図３４】図１３〜２９に示す強固なタバコパッケージを形成するためのブランク体の平面図である。
【図３５】図１３〜２９に示す強固なタバコパッケージを形成するためのブランク体の平面図である。
【図３６】図１３〜２９に示す強固なタバコパッケージを形成するためのブランク体の平面図である。
【図３７】図１３〜２９に示す強固なタバコパッケージを形成するための、さらなるブランク体の平面図である。
【図３８】図４３に示すブランク体の、一部折り畳んだ状態の斜視図である。
【図３９】本発明による、強固なタバコパッケージの閉状態における前面斜視図である。
【図４０】図３９に示す、強固なタバコパッケージの一部開状態における前面斜視図である。
【図４１】図３９に示す、強固なタバコパッケージの一部開状態における前面斜視図である。
【図４２】図３９に示す、強固なタバコパッケージの開状態における前面斜視図である。
【図４３】図３９に示す強固なタバコパッケージを形成するための、ブランク体の平面図である。
【図４４】本発明による、強固なタバコパッケージの閉状態における前面斜視図である。
【図４５】図４４に示す、強固なタバコパッケージの一部開状態における前面斜視図である。
【図４６】図４４に示す、強固なタバコパッケージの開状態における前面斜視図である。
【図４７】図４４に示す強固なタバコパッケージを形成するための、ブランク体の平面図である。
【図１】
2007535449.tif 000003
【図２】
2007535449.tif 000004
【図３】
2007535449.tif 000005
【図４】
2007535449.tif 000006
【図５】
2007535449.tif 000007
【図６】
2007535449.tif 000008
【図７】
2007535449.tif 000009
【図８】
2007535449.tif 000010
【図９】
2007535449.tif 000011
【図１０】
2007535449.tif 000012
【図１１】
2007535449.tif 000013
【図１２】
2007535449.tif 000014
【図１３】
2007535449.tif 000015
【図１４】
2007535449.tif 000016
【図１５】
2007535449.tif 000017
【図１６】
2007535449.tif 000018
【図１７】
2007535449.tif 000019
【図１８】
2007535449.tif 000020
【図１９】
2007535449.tif 000021
【図２０】
2007535449.tif 000022
【図２１】
2007535449.tif 000023
【図２２】
2007535449.tif 000024
【図２３】
2007535449.tif 000025
【図２４】
2007535449.tif 000026
【図２５】
2007535449.tif 000027
【図２６】
2007535449.tif 000028
【図２７】
2007535449.tif 000029
【図２８】
2007535449.tif 000030
【図２９】
2007535449.tif 000031
【図３０】
2007535449.tif 000032
【図３１】
2007535449.tif 000033
【図３２】
2007535449.tif 000034
【図３３】
2007535449.tif 000035
【図３４】
2007535449.tif 000036
【図３５】
2007535449.tif 000037
【図３６】
2007535449.tif 000038
【図３７】
2007535449.tif 000039
【図３８】
2007535449.tif 000040
【図３９】
2007535449.tif 000041
【図４０】
2007535449.tif 000042
【図４１】
2007535449.tif 000043
【図４２】
2007535449.tif 000044
【図４３】
2007535449.tif 000045
【図４４】
2007535449.tif 000046
【図４５】
2007535449.tif 000047
【図４６】
2007535449.tif 000048
【図４７】
2007535449.tif 000049
【国際調査報告】
2007535449.tif 000050
2007535449.tif 000051
2007535449.tif 000052